(57)【要約】【課題】使い勝手が良い上、利用効率が高いパイプクリーナーを提供する。【解決手段】パイプクリーナーは、ハウジング１、撃発装置２、気体管路３及びクリーナー継手４を備える。ハウジング１はハンドル１１を有する。ハンドル１１内には枢着部材１１１を介してトリガー１２が枢着される。ハンドル１１とトリガー１２との間には弾性部材１１２が配設される。弾性部材１１２はトリガー１２を支えて外方に向かう状態に保持する。トリガー１２にはハウジング１内に向かうように押し部１２１が設けられる。ハウジング１内には、押し部１２１に対応する収容槽１３が形成される。収容槽１３内にはガス容器５が配設される。ハウジング１の外側には、収容槽１３に対応するように収容槽蓋体１３１が着脱可能に配設される。ハウジング１内には、収容槽１３に対応する位置決め槽１４が設けられ、位置決め槽１４に対応するように導通されて接合部１５が設けられる。【選択図】図１
0003221392.tif 000002
【実用新案登録請求の範囲】
【請求項１】
ハウジング、撃発装置、気体管路及びクリーナー継手を備えたパイプクリーナーであって、
前記ハウジングは、ハンドルを有し、前記ハンドル内には、枢着部材を介してトリガーが枢着され、前記ハンドルと前記トリガーとの間には、弾性部材が配設され、前記弾性部材は、前記トリガーを支えて外方に向かう状態に保持し、前記トリガーには、前記ハウジング内に向かうように押し部が設けられ、前記ハウジング内には、前記押し部に対応する収容槽が形成され、前記収容槽内には、ガス容器が配設され、前記ハウジングの外側には、前記収容槽に対応するように収容槽蓋体が着脱可能に配設され、前記ハウジング内には、前記収容槽に対応する位置決め槽が設けられ、前記位置決め槽に対応するように導通されて接合部が設けられ、
前記撃発装置は、前記ハウジングの前記位置決め槽内に位置決め座が固定設置され、前記位置決め座には、前記ガス容器の口部に対応するように位置決め孔が形成され、前記位置決め孔内には、撃発ピンが配設され、前記位置決め孔の内縁と前記撃発ピンとの間には、弾性支持部材が嵌設され、
前記気体管路は、前記ハウジングの前記接合部内に配設され、前記気体管路は、接合管を有し、前記接合管は、接合座を介して前記撃発装置の前記位置決め座に接続され、前記接合管には、保護管が外嵌され、前記保護管の一端は、前記接合座に連結固定され、前記保護管の他端は、前記接合部の外側に接続部材が接続され、前記接合管が前記接続部材を介して外方に連通し、
前記クリーナー継手は、前記気体管路の前記接続部材が対応して組み立てられる連結部を有し、前記連結部の底端には、ストッパ部が設けられ、前記連結部は、前記ストッパ部に向かって形成された貫通孔を有し、前記貫通孔には、前記接合管が嵌設されることを特徴とする、
パイプクリーナー。
【請求項２】
前記ハウジングには、補助収容空間が設けられ、前記補助収容空間中には、少なくとも１つの前記ガス容器が予備用に収容され、前記補助収容空間には、外蓋が設けられることを特徴とする請求項１に記載のパイプクリーナー。
【請求項３】
前記クリーナー継手は、前記ストッパ部の外側に設けられた外カバー及び遮蔽シートの何れか１つを有することを特徴とする請求項１に記載のパイプクリーナー。
【考案の詳細な説明】
【技術分野】
【０００１】
本考案は、パイプクリーナーに関し、特に、ガス容器の口部を容易に撃発できるため、使い勝手が良い上、気体が抜けても気圧に悪影響を及ぼすことがないためクリーナー効果が高く、利用効率が高いパイプクリーナーに関する。
【背景技術】
【０００２】
様々な水管の管路又は便器が詰まると、パイプクリーナーにより詰まりを解消することが一般的である。一般にパイプクリーナーは、直接、持手部の底端にゴム製の碗状吸着カップが接続されており、持手部を手で持って押下げると吸着カップが変形し、吸着カップ内で吸引又は押圧の力が変化して詰まりを解消することができる。
しかし、上述したようなパイプクリーナー方式では、実際に行っても詰まりが解消されなかったり、詰まりが解消されるまで複数回操作したりしなければならなかった。しかし、吸着カップにより発生させる吸引力及び押圧力には限界があり、詰まった物体が移動しても、管路又は便器が再び詰まってしまうことがあり、パイプクリーナーの使用効果は理想的でなかった。
【０００３】
特許文献１の「便器パージング装置」は、通管、撃発ユニット、締め付けキャップ及び密着具を含む。前記通管は、内部にガス流路が貫通するように形成される。撃発ユニットは、撃発ピン及びスイッチ片を含む。前記撃発ピンは、長さ方向に移動可能に装着される。前記スイッチ片は、押圧作動時に前記撃発ピンを前記通管側に移動させ、前記スイッチ片と前記通管の上端とが接続される。前記締め付けキャップは、螺溝を介して前記撃発ユニットの頂部に締め付けられる。ガス容器は、前記撃発ユニットと前記締め付けキャップとの間に挿設され、締め付けキャップが回転作動時に前記ガス容器を前記撃発ピン側に密着させ、接続装置は、前記管体の下端に接続され、便器の排水管中に挿入される。
【０００４】
しかし、上述した特許文献１の「便器パージング装置」は、便器又は管路の詰まりを解消する期待された効果を達成することができた一方、実際に操作して使用すると分かるように、その構造は、ガス容器を撃発ユニットの保持溝部中に挿入し、締め付けキャップが回転作動し、締め付けキャップによりガス容器を押動すると、撃発ピンがガス容器の噴射口に挿入されるものである。スイッチ片の押圧作動時に、スイッチ片により係止バーが押動され、撃発ピンが係止バーの移動に伴い、気体がガス容器から噴射されるが、以下（１）及び（２）の欠点があった。
【０００５】
（１）締め付けキャップの回転作動が不正確である場合、締め付けキャップは、撃発ピンが噴射口に確実に挿入されるまでガス容器を確実に押動することができず、ガス容器内の気体を噴射させることができず、使い勝手が良くなかった。
（２）まず、締め付けキャップによりガス容器を押動して撃発ピンを噴射口に挿入してからスイッチ片を押圧作動することにより、撃発ピンが係止バーの移動に伴い、気体がガス容器中から噴射され、スイッチ片を押圧作動する前に、ガス容器内の気体が外部に漏れ出る現象が始まり、スイッチ片を押圧作動した後、ガス容器から噴射されたガスの気圧が不足し易く、管路又は便器のパイプクリーナー効果に悪影響を及ぼして効果が好ましくなく、全体の構造設計上、改善の余地があった。
【先行技術文献】
【特許文献】
【０００６】
【特許文献１】中国特許第ＣＮ１０４０８０３８３Ｂ号公報
【考案の概要】
【考案が解決しようとする課題】
【０００７】
本考案の目的は、ガス容器の口部が容易に撃発できるため、使い勝手が良い上、気体が抜けても気圧に悪影響を及ぼすことがないためクリーナー効果が高く、利用効率が高いパイプクリーナーを提供することにある。
【図面の簡単な説明】
【０００８】
【図１】本考案の第１実施形態に係るパイプクリーナーを示す分解斜視図である。
【図２】本考案の第１実施形態に係るパイプクリーナーを示す組立斜視図である。
【図３】本考案の第１実施形態に係るパイプクリーナーを示す側面断面図である。
【図４】本考案の第１実施形態に係るパイプクリーナーの使用状態の側面断面図である。
【図５】本考案の第２実施形態に係るパイプクリーナーを示す分解斜視図である。
【図６】本考案の第３実施形態に係るパイプクリーナーを示す分解斜視図である。
【図７】本考案の第３実施形態に係るパイプクリーナーを示す側面断面図である。
【図８】本考案の第３実施形態に係るパイプクリーナーを示す組立斜視図である。
【考案を実施するための形態】
【０００９】
本考案の技術手段及びそれにより達成可能な効果を、より完全かつ明白に開示するために、開示した添付の図面及び符号と併せて本考案を以下に詳説する。
【００１０】
（第１実施形態）
まず、図１〜図３を参照する。図１は、本考案の第１実施形態に係るパイプクリーナーを示す分解斜視図である。図２は、本考案の第１実施形態に係るパイプクリーナーを示す組立斜視図である。図３は、本考案の第１実施形態に係るパイプクリーナーを示す側面断面図である。
図１〜図３に示すように、本考案の第１実施形態に係るパイプクリーナーは、少なくともハウジング１、撃発装置２、気体管路３及びクリーナー継手４から構成されてなる。
【００１１】
ハウジング１は、ハンドル１１を有する。ハンドル１１内には、枢着部材１１１を介してトリガー１２が枢着されている。ハンドル１１とトリガー１２との間には、弾性部材１１２が配設される。弾性部材１１２は、トリガー１２を支えて外方に向かう状態に保持し、トリガー１２には、押し部１２１がハウジング１内に向かうように設けられている。ハウジング１内には、押し部１２１に対応するように収容槽１３が形成されている。収容槽１３内には、ガス容器５が配設される。ハウジング１の外側には、収容槽１３に対応するように収容槽蓋体１３１が着脱可能に配置され、ハウジング１内には、収容槽１３に対応するように位置決め槽１４が設けられ、位置決め槽１４に対応するように導通されて接合部１５が設けられる。ハウジング１には、補助収容空間１６が設けられる。補助収容空間１６中には、少なくとも１つのガス容器５が予備用に収容される。補助収容空間１６には、外蓋１６１が設けられる。
【００１２】
撃発装置２は、ハウジング１の位置決め槽１４内に位置決め座２１が固定設置される。位置決め座２１は、軟性材料からなり、気密性を有する。位置決め座２１には、ガス容器５の口部５１に対応するように位置決め孔２１１が形成される。位置決め孔２１１内には、撃発ピン２２が設けられ、位置決め孔２１１の内縁と撃発ピン２２との間には、弾性支持部材２３が嵌設されている。
【００１３】
気体管路３は、ハウジング１の接合部１５内に配設される。気体管路３は、接合管３１を有する。接合管３１は、接合座３１１により撃発装置２の位置決め座２１に連結固定される。接合管３１には、保護管３２が外嵌される。保護管３２の一端は、接合座３１１に連結固定される。保護管３２の他端には、接合部１５の外側に接続部材３３が接続され、接合管３１が接続部材３３を介して外方に貫通する。
【００１４】
クリーナー継手４は、気体管路３の接続部材３３に対応して組み立てられる連結部４１を有する。連結部４１の底端には、ストッパ部４２が設けられている。連結部４１には、ストッパ部４２に向かって貫通孔４３が形成され、貫通孔４３には、接合管３１が嵌設される。ストッパ部４２の外側には、気体が外部に漏れることを防いで気密性が高い外カバー４４が形成される。
【００１５】
そのため、本考案を実際に操作して使用する際、クリーナー継手４のストッパ部４２が通水を行う水管口又は便器中に対応して挿入され、ハウジング１の収容槽１３内にガス容器５が配設され、収容槽蓋体１３１を閉じてユーザがトリガー１２を押すと、トリガー１２により弾性部材１１２が圧縮される。トリガー１２の押し部１２１は、ガス容器５を撃発装置２の位置決め座２１へ向けて押動し、ガス容器５の口部５１が位置決め孔２１１内に挿入されて弾性支持部材２３を押圧すると、撃発ピン２２に衝撃が加わり、撃発ピン２２によりガス容器５の口部５１を突破り（図４の本考案の第１実施形態に係るパイプクリーナーの使用状態の側面断面図を併せて参照する）、トリガー１２の操作を解除する。すると、弾性部材１１２は、トリガー１２を外方へ押動し、弾性支持部材２３は、ガス容器５の口部５１を撃発ピン２２から押し離し、ガス容器５内に収容された気体が瞬時に口部５１を介して位置決め孔２１１を通過し、気体管路３の接合管３１に進入する。すると、気体が接合管３１からクリーナー継手４の貫通孔４３の外側に向かって瞬時に爆発噴射され、水管又は便器の詰まりを解消することができる。
【００１６】
（第２実施形態及び第３実施形態）
図５及び図６を併せて参照する。図５は、本考案の第２実施形態に係るパイプクリーナーを示す分解斜視図である。図６は、本考案の第３実施形態に係るパイプクリーナーを示す分解斜視図である。
図５及び図６に示すように、気体管路３には、接続部材３３を介して延伸管３４がさらに接続されると使用長さが延び、延伸管３４の底部には、クリーナー継手４の連結部４１を組み合わせて接続する接続部材３３が接続されている。
【００１７】
図６及び図７を併せて参照する。図６は、本考案の第３実施形態に係るパイプクリーナーを示す分解斜視図である。図７は、本考案の第３実施形態に係るパイプクリーナーを示す側面断面図である。
図６及び図７に示すように、クリーナー継手４は、ストッパ部４２の外側に設けられた遮蔽シート４５を有し、便器の詰まりを解消する作業を行う際、遮蔽シート４５により便器内の水が外側に飛び散ることを防ぐ。
【００１８】
図８を参照する。図８は、本考案の第３実施形態に係るパイプクリーナーを示す組立斜視図である。本考案の第３実施形態に係るパイプクリーナーは、クリーナー継手４が対応する収容ベース６を含む。収容ベース６には、クリーナー継手４を収容して位置決めする収容槽６１が形成される。
【００１９】
上述したことから分かるように、本考案のパイプクリーナーは、従来の構造と比べて以下（１）及び（２）の長所を有する。
（１）トリガーの押圧作動時に、トリガーの押し部がガス容器を押動すると、ガス容器の口部が撃発ピンに衝撃を加え、撃発ピンによりガス容器の口部を突破ることで、ガス容器の口部を容易に撃発することができるため、使い勝手が良い。
（２）トリガーを押圧作動してガス容器の口部を撃発した後に、トリガーの操作を解除すると、気体が瞬時に爆発噴射されてクリーナー作業を行い、使用する過程で気体が抜けても気圧に悪影響を及ぼすことがないためクリーナー効果が高く、利用効率が高い。
【符号の説明】
【００２０】
１  ハウジング
２  撃発装置
３  気体管路
４  クリーナー継手
５  ガス容器
６  収容ベース
１１  ハンドル
１２  トリガー
１３  収容槽
１４  位置決め槽
１５  接合部
１６  補助収容空間
２１  位置決め座
２２  撃発ピン
２３  弾性支持部材
３１  接合管
３２  保護管
３３  接続部材
３４  延伸管
４１  連結部
４２  ストッパ部
４３  貫通孔
４４  外カバー
４５  遮蔽シート
５１  口部
６１  収容槽
１１１  枢着部材
１１２  弾性部材
１２１  押し部
１３１  収容槽蓋体
１６１  外蓋
２１１  位置決め孔
３１１  接合座
【図１】
0003221392.tif 000003
【図２】
0003221392.tif 000004
【図３】
0003221392.tif 000005
【図４】
0003221392.tif 000006
【図５】
0003221392.tif 000007
【図６】
0003221392.tif 000008
【図７】
0003221392.tif 000009
【図８】
0003221392.tif 000010